(57)【特許請求の範囲】
【請求項１】
缶体吹き付け機であって、該缶体吹き付け機が：
缶体回転装置；
缶体回転装置に設置された缶体の内部へコーティングを吹き付けるための吹き付け器；
缶体回転装置が正確な吹き付け位置にあるときに、吹き付け器をスイッチオンするように構成された制御装置；および
缶体回転装置に連結されたセンサであって、缶体回転装置が吹き付け開始後にあらかじめ規定された回転を受ける時間を決定し、その決定に応じて、吹き付け器の総吹き付け時間は、缶体回転装置がセンサによって決定される所望の回転数を達成するのに必要な時間に相当するように、吹き付け器をスイッチオフする、センサ、
を含むことを特徴とする、缶体吹き付け機。
【請求項２】
センサが、缶体回転装置へ機械的に、光学的にまたは電磁的に連結される、請求項１に記載の缶体吹き付け機。
【請求項３】
センサが、缶体回転装置へ光学的に連結され、光源と検出器とを含み、缶体回転装置の回転が、光源に向かう光の変調を引き起こす、請求項２に記載の缶体吹き付け機。
【請求項４】
前記光源および検出器が、実質的に同じ位置に配置され、検出器が、缶体回転装置から反射された光を検出する、請求項３に記載の缶体吹き付け機。
【請求項５】
前記光源がレーザを含む、請求項３または４に記載の缶体吹き付け機。
【請求項６】
缶体回転装置が、光源に向かって戻る光を変調するように構成された複数のインデックスホールを規定する、請求項３または４に記載の缶体吹き付け機。
【請求項７】
センサが、近接センサ、例えば電磁センサである、請求項１または２に記載の缶体吹き付け機。
【請求項８】
缶体回転装置が、缶体を設置するための真空チャックまたは電磁チャックを含む、請求項１から７のいずれかに記載の缶体吹き付け機。
【請求項９】
回転するインデックスタレットに設置された複数の前記缶体回転装置を含み、缶体回転装置を吹き付け器と順に整列してインデックスするように構成される、請求項１から８のいずれかに記載の缶体吹き付け機。
【請求項１０】
前記制御装置が、機械的なタイミング機構を含む、請求項１から９のいずれかに記載の缶体吹き付け機。
【請求項１１】
缶体の内部にコーティングを吹き付ける方法であって、該方法が：
缶体回転装置に缶体を設置する工程；
缶体回転装置および設置された缶体を、吹き付け器と整列させる工程；
吹き付け器を使用して吹き付けを開始する工程；
缶体回転装置が、吹き付け開始後にあらかじめ規定された回転を受ける時間を決定するために、缶体回転装置に連結されたセンサを使用する工程；および
そのような決定に応じて、吹き付け器の総吹き付け時間は、缶体回転装置がセンサによって決定される所望の回転数を達成するのに必要な時間に相当するように、吹き付け器をスイッチオフする工程、
を含むことを特徴とする、方法。
【請求項１２】
センサが缶体回転装置へ機械的に、光学的に、または電磁的に連結される、請求項１１に記載の方法。
【請求項１３】
センサが缶体回転装置へ光学的に連結され、方法が、センサから缶体回転装置上に光を向ける工程、および缶体回転装置により引き起こされた光の変調を検出する工程を含む、請求項１２に記載の方法。
【請求項１４】
センサが缶体回転装置へ電磁的に連結され、方法が、缶体回転装置の回転により引き起こされた電磁場の変調を検出するためにセンサを使用する工程を含む、請求項１２に記載の方法。
【請求項１５】
前記変調が、缶体回転装置の上に、または周囲に設けられた複数のインデックスホール、開口部、または他の特徴により引き起こされる、請求項１３または１４に記載の方法。
【発明の詳細な説明】
【技術分野】
【０００１】
本発明は、缶の吹き付け塗装に関する。より具体的には、必ずではないが、本発明は缶体内部の吹き付け塗装に関する。
【背景技術】
【０００２】
缶体が、一般的に「ラッカー」と称される内部保護コーティングを受けることは、良く知られている。このコーティングは、缶が充填されると、缶内容物と直接接触し、内容物と缶内部との間の相互作用を最小限にする。コーティングは、その貯蔵寿命の期間中、缶製造プロセスおよび缶のその後の使用の両方に耐えることが可能でなければならない。飲料缶および食缶のコーティングに関しては、非中毒性および非汚染性でなければならない。コーティングの最小の重量／厚さが通常、特定の法律に従うように、塗布されなければならない。
【０００３】
典型的には、吹き付け塗装機は、缶生産ラインの一部を形成し、分当たり３００−４００缶を処理し得る。典型的には、缶は、２ピース缶または３ピース缶である。前者は、単一の金属円盤から打ち抜かれた缶体を含み、一体式の側壁および底部を有する。充填後、蓋が開口端部に継ぎ合わされる。３ピース缶は、金属板を円筒状に巻き、継ぎ目を溶接することにより形成される缶体を含む。底端部は、充填前に缶へ継ぎ合わされ、頂端部は、充填後に缶体へ継ぎ合わされる。３ピース缶は、底端部が缶体に取り付けられる前に、または後に、吹き付けされてもよい。以下の説明において、「缶体」への言及は、頂端部が取り付けられていない２ピース缶か、底端部が取り付けられているか、またはいない、頂端部が取り付けられていない３ピース缶体のいずれかを指す。
【０００４】
吹き付けされていない缶体は、吹き付け機に供給され、吹き付けされていない缶体は、中央回転するインデックスタレット（ｃｅｎｔｒａｌ  ｒｏｔａｒｙ  ｉｎｄｅｘｉｎｇ  ｔｕｒｒｅｔ）の周囲に配置された、真空チャックとしても知られる多数の回転パッド（ｓｐｉｎｎｅｒ  ｐａｄｓ）上に、真空吸引により保持される。吹き付けされている缶体がスチールである場合、それらは、回転パッド上の所定の位置へ、磁気的に保持されてもよい。内部カムを含むインデックスボックス（ｉｎｄｅｘｉｎｇ  ｂｏｘ）は、インデックスタレットおよび随伴する回転パッドと、取り付けられた缶体とを、適切な時間で回転する吹き付けするための位置へ移動（インデックス（ｉｎｄｅｘｅｓ））させる。回転パッドが、一旦所定の位置に位置すると、典型的にはモータ付き駆動ベルトを介して回転駆動が提供され、回転パッドが、缶体が１つ以上の吹き付け器によりラッカーで内部的に吹き付け塗装される間に、２０００−２７５０ｒｐｍ（毎分回転数）で取り付けられた缶体を順に回転させる。吹き付け中の回転は、缶体の内部表面全体に渡る均一なコーティングを確実にするために必要である。２４００ｒｐｍで回転する缶体に対して、ラッカーの正確な量が均等に塗付されることを確実にするためには、缶体が完全に３回転することが適切であると考えられる。これは、缶体当たりの吹き付け時間が、約１００ｍｓ（ミリ秒）であることを意味し、その時間は、インデックスボックスが回転するインデックスタレットの静止（「ドエル時間（ｄｗｅｌｌ  ｔｉｍｅ）」として知られている）を維持する時間である。吹き付けが完了すると、インデクサ（ｉｎｄｅｘｅｒ）は、吹き付けされた缶体を所定の位置から移動させ、そして次の吹き付けされていない缶体を、吹き付け器（単数または複数）の前の所定の位置に移動させる。それから、吹き付けされた缶体は、生産ラインの次の段階へと供給される。
【０００５】
吹き付け塗装機は、並行して動作する１、２またはそれより多い吹き付け器を使用してもよい。例えば、２つの吹き付け器を利用する機械は、同時にインデックスタレット上の２つの連続する缶を吹き付けてもよい。タレットの各々のインデックスは、次の２つの缶を吹き付け器と整列させるためにタレットを回転させる。
【０００６】
ＷＯ２０１４／１４７１６３で述べられたＣａｒｎａｕｄ  Ｍｅｔａｌｂｏｘ（登録商標）「３２００」  ｓｐｒａｙ  ｍａｃｈｉｎｅなどの吹き付け機において、吹き付け窓は、インデックスボックスのインプットシャフトに設置された２つのタイミングフラグ（ｔｉｍｉｎｇ  ｆｌａｇｓ）およびセンサにより監視される。吹き付け器が回転する缶体に対してスイッチオンまたはスイッチオフするとき、センサは、ラッカー吹き付けシステムおよび制御装置につながれる。吹き付け窓は、インデックスボックスの動作プロファイルにより制御される。毎分３５０缶体の生産速度において、ドエル時間は１００ｍｓである。これは、吹き付け器がスイッチオンするための８ｍｓと、缶を吹き付けするための８４ｍｓと、吹き付け器がスイッチオフするための８ｍｓとに分けられ得る。正確な重量のラッカーが塗布されることを確実にするために、大きな許容範囲が、この時間が設定された吹き付け窓に組み込まれる。この結果、過剰な量のラッカーが吹き付けられることとなる。
【発明の概要】
【０００７】
本発明の第１の態様によれば、缶体吹き付け機であって、該缶体吹き付け機が、缶体回転装置と、缶体回転装置に設置された缶体の内部へコーティングを吹き付けするための吹き付け器と、缶体回転装置が正確な吹き付け位置にあるときに、吹き付け器をスイッチオンするように構成された制御装置とを含む、缶体吹き付け機が提供される。缶体回転装置に連結されたセンサは、缶体回転装置が吹き付け開始後にあらかじめ規定された回転を受ける時間を決定し、吹き付け器の総吹き付け時間は、缶体回転装置がセンサによって決定される所望の回転数を達成するのに必要な時間に相当するように、その決定に応じて吹き付け器をスイッチオフする。
【０００８】
選択肢として、センサは缶体回転装置へ機械的に、光学的にまたは電磁的に連結されてもよい。
【０００９】
センサが缶体回転装置へ光学的に連結される場合には、光源と検出器とを含んでもよく、缶体回転装置の回転は、光源に向かう光の変調を生じさせる。
【００１０】
光源および検出器は、実質的に同じ位置に配置されてもよく、検出器は、缶体回転装置から反射された光を検出し得る。
【００１１】
光源は、レーザを含んでもよい。
【００１２】
缶体回転装置は、光源に向かって戻る光を変調するように構成された複数のインデックスホール（ｉｎｄｅｘｉｎｇ  ｈｏｌｅｓ）を規定してもよい。
【００１３】
センサは、近接センサ、例えば電磁センサを含んでもよい。
【００１４】
缶体回転装置は、缶体を設置するための、真空チャックまたは電磁チャックを含んでもよい。
【００１５】
缶体吹き付け機は、回転するインデックスタレットに取り付けられた複数の缶体回転装置を含んでもよく、缶体回転装置を吹き付け器と順に整列してインデックスするように構成されてもよい。
【００１６】
制御装置は、機械的なタイミング機構を含んでもよい。
【００１７】
本発明の第２の態様によれば、缶体の内部にコーティングを吹き付けするための方法が提供され、該方法は：缶体回転装置に缶体を設置する工程；缶体回転装置および設置された缶体を、吹き付け器と整列させる工程；吹き付け器を使用して吹き付けを開始する工程；缶体回転装置が、吹き付け開始後にあらかじめ規定された回転を受ける時間を決定するために、缶体回転装置に連結されたセンサを使用する工程；および、そのような決定に応じて、吹き付け器の総吹き付け時間は、缶体回転装置がセンサによって決定される所望の回転数を達成するのに必要な時間に相当するように、吹き付け器をスイッチオフする工程、を含む。
【００１８】
センサは缶体回転装置へ機械的に、光学的にまたは電磁的に連結されてもよい。
【００１９】
センサが缶体回転装置へ光学的に連結される場合、この方法は、センサから缶体回転装置上へと光を向ける工程と、缶体回転装置により生じる光の変調を検出する工程とを含んでもよい。
【００２０】
センサが缶体回転装置へ電磁的に連結される場合、この方法は、缶体回転装置の回転により生じる電磁場の変調を検出するためにセンサを使用する工程を含んでもよい。
【００２１】
変調は、缶体回転装置の上に、または周囲に設けられた、複数のインデックスホール、開口部、または他の特徴により引き起こされてもよい。
【図面の簡単な説明】
【００２２】
【図１】従来の缶体吹き付け機の線図である。
【図２】缶体吹き付けアセンブリの部分の斜視図である。
【図３】図２のアセンブリで使用するためのチャックプーリの斜視図である。
【図４】図２のアセンブリの断面図である。
【図５ａ】既知の吹き付けアセンブリにおける、缶体ラップ（ｃａｎ  ｂｏｄｙ  ｗｒａｐｓ）数の線図である。
【図５ｂ】図２のアセンブリにおける、缶体ラップ数の線図である。
【図６】吹き付け機を動作させる方法を例証するフロー図である。
【発明を実施するための形態】
【００２３】
図１は、既知の缶体吹き付け機の線図である。この構成において、吹き付けされていない缶体（３２）は、トラックウェイ（ｔｒａｃｋｗａｙ）（３０）を介して吹き付け器に入り、そこで、真空チャック（３６）およびチャックプーリ（３８）を含むポケット（５２）に受けられる。多数のポケット（５２）が、円形の回転するインデックスタレット（３４）の周囲に配置される。タレット（３４）は、インデックスボックス（図示せず）によって、タレット中心（４０）の周囲にインデックスされ、その結果、２つの連続する缶体（３２）が吹き付けするための位置へと順にインデックスされる。
【００２４】
缶体（３２）の各対がそれぞれの吹き付け器（４８）の前の位置へと移動されると、真空チャック（３６）と缶体（３２）が設置されたチャックプーリ（３８）は、駆動モータ（４４）と、駆動ベルト（４６）と、アイドラプーリ（５０）とを含む、モータ付き駆動ベルトと係合する。この係合がチャックプーリ（４８）および真空チャック（３６）を回転させ、それゆえ缶体（３２）も回転する。
【００２５】
インデックスインプットシャフト（ここでは図示せず）上に、２つのタイミング「フラグ」が設置され、それぞれが、物理的なタイミングフラグとして作用する。フラグは、吹き付け窓を規定するために、異なる角度の形状を有する。プロキシ（近接）センサは、フラグの位置を確認するために、ならびにラッカー制御システムに信号を送るために、吹き付け器をスイッチオンおよびスイッチオフするように使用される。吹き付け窓は、インデックスボックスの動作プロファイルにより制御されるように、タイミングにのみ基づく。吹き付けが完了すると、吹き付けされた缶体（３２）の対はインデックスされ、排出タレット（４２）とトラックウェイ（３０）を介して吹き付け機を出る。
【００２６】
図２は、缶体吹き付け器で使用するための改良された装置（１０）の一部の斜視断面図である。アセンブリは、缶体（２）が設置された真空チャック（４）を含む。真空チャック（４）は、モータ付き駆動ベルト（１２）により順に駆動されるチャックプーリ（６）と係合する。この実施例において、チャックプーリ（６）には、多数の円筒状のインデックスホール（１４）が設けられ、チャックプーリ（６）はレーザセンサ（８）の監視線内にある。チャックプーリ（６）がモータ付き駆動ベルト（１２）に係合すると、真空チャック（４）は、中心軸の周囲を回転する。チャック（４）が回転すると、設置された缶体（２）も回転する。これにより、以下に記載されるように、缶体（２）の内部が、１つ以上の吹き付け器から、ラッカーの均一なコーティングを受けることを可能にする。装置（１０）は、制御装置（１５）も含み、制御装置は、チャックプーリ（６）が吹き付けのための正確な位置にあるときに、吹き付け器をスイッチオンするように配置されている。
【００２７】
図３は、図２のアセンブリで使用するためのチャックプーリ（６）の斜視図である。プーリ（６）は、実質的に円筒状であり、外周の回りに駆動ベルト溝（１６）が設けられている。ベルト溝（１６）は、プーリ（６）がモータ付き駆動ベルト（１２）（図３には示されていない）により駆動されることを可能にし、プーリ（６）を中心軸の周囲で回転させる。図から分かり得るように、プーリ（６）は、プーリ（６）の周囲に均一に配置された１５のインデックスホール（１４）を有する。図４は、缶体吹き付け機で使用するための装置（１０）のさらなる断面図であり、缶体（２）の全体と、吹き付け器（２０）を例証している。典型的には、缶体（２）は、約２０００ｒｐｍから２７５０ｒｐｍで回転する。
【００２８】
図４から明らかとなるように、レーザセンサ（８）は、真空チャック（４）から見てプーリ（６）の反対側に取り付けられ、プーリ（６）内のインデックスホール（１４）（図４には示されていない）と対面する。
【００２９】
センサ（８）は、吹き付け器（２０）と信号通信し、スイッチオフするように吹き付け器（２０）へ信号を送ることができる。真空チャック（４）が吹き付け器（２０）の前の位置へとインデックスされると、チャックプーリ（６）は駆動ベルト（１２）と係合し、プーリ（６）、真空チャック（４）および缶体（２）が回転し始める。このとき、吹き付け器（２０）がスイッチオンし、缶体（２）の内部をラッカーで吹き付けし始める。吹き付けされると同時に缶体（２）を回転することによって、吹き付け器（２０）からのラッカーの均一なコーティングを確実にする。
【００３０】
カウントを、吹き付け器がスイッチオンされたときに、あるいは吹き付け器のスイッチオン後のあらかじめ規定されたある期間（吹き付け器のための望ましい吹き出し量に達するのに十分な）の後に開始し、その監視線（１８）を通過するインデックスホールの数をカウントすることにより、センサ（８）は、チャックプーリ（６）の総回転数を監視する。インデックスホールがセンサ（８）により生成されたレーザビームを横切ると、センサへ戻る反射された光が変調されることが理解されるであろう（例えば、銀をホールに塗布することにより、インデックスホールの内側表面が十分に反射することが当然想定される）。センサで適切な検出器を利用することにより、この変調は、必要なカウントを生成するために検出および解読され得る。
【００３１】
センサは、インデックスホールの必要数をカウントすると、吹き付け器（２０）をスイッチオフして吹き付けを停止させるように、吹き付け器（２０）に信号を送る。この例証された実施例では、合計で１５のインデックスホール（１４）が存在するため、１５のインデックスホールがセンサ（８）の監視線（１８）を通過すると、チャックプーリ（６）の１回の完全な回転が引き起こされるだろう。缶体が３回転することが適切なコーティングを確実にするために必要とされる場合、カウントが４５（またはオーバーラップを確実にするために４６）に達するときに、センサは、スイッチオフするように吹き付け器に信号を送るだろう。
【００３２】
図５ａおよび図５ｂは、それぞれ、従来の缶体吹き付けアセンブリ、および図２から図４のアセンブリにおける缶ラップ（缶体の完全な回転）数の線図である、これらの図において、缶体（２）の吹き付けは、点（２２）で始まり、点（２４）で終わる。図５ａに示される従来のアセンブリにおいて、吹き付け窓、すなわち缶体（２）が吹き付け器（２０）により吹き付けされる吹き付け時間は、タイマーにより制御される。言い換えれば、吹き付け器（２０）は、缶体（２）の実際の位置には関係なく、所定の時間において、２２でスイッチオン、２４でスイッチオフされる。典型的に吹き付け窓は、１００ｍｓで固定されている。この窓は、缶体（２）が正確な吹き付け位置に到着したこと、および塗布されるラッカーの量が少なくとも必要とされる最小量であることを確実にするために、一定の許容範囲を含む。吹き付け窓におけるこの許容範囲は、ラッカーの正確な量が缶体（２）の内部に塗布されることを確実とするために実際に必要とされる、３回の缶体ラップよりもむしろ、３．５回の缶ラップ（３．５回の缶体の完全な回転）を必要とし得る。この許容範囲は、結果として缶体当り約０．５回のラッカーの「コート」のラッカー浪費をもたらす。吹き付けプロセスで利用される新鮮な水もまた、浪費される。
【００３３】
本明細書に記載される改良されたアセンブリにおいて、吹き付けプロファイルが図５ｂに表され、その吹き付け窓の期間はタイマー制御されない。むしろ、吹き付け窓は、プーリ（６）上にインデックスホール（１４）の直進の監視線（１８）を有するセンサ（８）により制御される。タイミングフラグのような機械的なタイミング機構により制御される本機械の動作シーケンスにおける所与の時間で吹き付け窓が始まるとすぐに、吹き付け器（２０）がラッカーのコーティングで回転缶体（２）の内部を吹き付け開始する。センサ（８）が、上記したような吹き付け開始後に、チャックプーリ（６）と、ゆえに缶体（２）とが必要なあらかじめ規定された回転数を受けることを決定すると、センサ（８）は、吹き付け器（２０）と通信し、吹き付け器（２０）がスイッチオフされる。センサ（８）は、チャックプーリ（６）が完全に１回転した回数を追跡することにより、缶体（２）の角度位置を監視する。これは、適切なラッカーの重量が缶体（２）の内部に塗布されることを確実にするのに必要とされる、総吹き付け時間に相当する。
【００３４】
上記したような図５ｂの構成は、タイマー制御された吹き付け窓に組み込まれた許容範囲がもはや必要ではないため、結果としてより短い吹き付け窓をもたらす。これにより、吹き付けされた缶体をより迅速にインデックスするために、インデックスボックスのタイミングが、縮小された吹き付け窓を収容するように構成され得るので、ラッカー吹き付け機の全体的な毎分当たりの缶体生産量が増大される。この例における総缶体ラップ数は、図５ｂに示すように、約３．５から３．０５に減少する。ラッカーの３回の完全なコートが保証されるが、オーバーラップ（ｏｖｅｒｌａｐ）は約０．０５ラップ（１８度）まで減少する。これが、缶体当たり約０．４５ラップ（１６２度）のラッカーの節約につながる。付加的に、ラッカー吹き付けプロセス中に、缶体の回転速度が監視され得る。
【００３５】
図６は、缶体の内部にコーティングを吹き付けするために吹き付け機を動作させる方法を例証するフロー図である。方法は、以下の工程を含む。
【００３６】
Ｓ１：缶体を缶体回転装置に取り付ける工程
【００３７】
Ｓ２：缶体回転装置および取り付けられた缶体を吹き付け器と整列させる工程
【００３８】
Ｓ３：吹き付け器を使用して吹き付けを開始する工程
【００３９】
Ｓ４：缶体回転装置が吹き付け開始後にあらかじめ規定された回転を受ける時間を決定するために、缶体回転装置に連結されたセンサを使用する工程
【００４０】
Ｓ５：そのような決定に応じて、吹き付け器をスイッチオフする工程
【００４１】
当業者であれば、本発明の範囲から逸脱することなく、上記された実施形態に様々な修正を加えてもよいことが理解されよう。
【００４２】
例えば、駆動は、チャックプーリとモータ付き駆動ベルトの構成よりもむしろ、歯車機構または他の手段により、真空チャックまたは電磁チャック、および缶に供給されてもよい。
【００４３】
チャックプーリのインデックスホールの総数、サイズ、形状、および分布は、変化されてもよい。例えば、図３に示される１５の円形状の穴よりもむしろ、２０から６０のような、より多くの数のインデックスホールであってもよく、随意に４０であってもよく、または１０のような、より小さな数であってもよい。いくつかの実施形態では、単一のインデックスホールまたは他の特徴が十分であり得る。他の特徴は、スロットまたは開口部を含んでもよい。
【００４４】
チャックプーリの総回転数を監視する代替的な方法が利用されてもよい。センサは缶体回転装置へ機械的に、光学的にまたは電磁的に連結されてもよい。例えば、複数のミラー付き表面が、上記したインデックスホールと置き換わってもよい。代替的に、チャックプーリは、磁気ベースのセンサがその角度位置を監視することを可能にする、１つ以上の磁石を設けられてもよい。
【００４５】
上記したような光学的に連結されたセンサは、チャックプーリの表面からレーザビームを反射するように構成され、各インデックスホールがセンサの監視線を通過すると同時に深さの変化を検出する、レーザセンサを含んでもよい。随伴する光源および検出器は、同じ場所に配置されてもよい。代替的に、検出器は、光源から見てプーリの反対側に配置されてもよい。
【００４６】
上記したインデックスホールの代替品と共に動作するように構成されてもよいセンサの代替的な形態が、利用されてもよい。電磁センサのようなプロキシセンサまたは近接センサが、使用されてもよい。センサは、缶体回転装置の回転により引き起こされた電磁場の変調を検出してもよい。センサは、チャックプーリへ機械的に、光学的にまたは電磁的に連結されてもよい。
【００４７】
制御装置は、タイミングフラグのような機械的なタイミング機構を含んでもよい。
【００４８】
１より多い吹き付け器がアセンブリに供給されてもよく、缶体が１より多い場所で吹き付けされてもよい。例えば、缶体は、４つまでの多数の場所で吹き付けされてもよい。
【００４９】
１より多いセンサが、缶体位置の検出で利用されてもよい。付加的なセンサは、チャックプーリを監視するために適したアセンブリ内の任意の位置に配置され得る。
【００５０】
センサ（単数または複数）と、吹き付け器（単数または複数）との間の通信は、適した手段、例えば、有線または無線、もしくは手段の組み合わせによるものであり得る。
【００５１】
特定の用途において必要とされるラッカーの重量または厚さは、吹き付けされている缶体のサイズと形状に基づくことが理解されよう。ラッカーの３回の缶体ラップは、本明細書に記載されるように、１つの塗布の一例である。
【００５２】
上記されたアセンブリは、缶体の、例えば２ピースの、食缶体および飲料缶体の範囲の吹き付け塗装において、利用されてもよい。このアセンブリは、スチール缶体およびアルミニウム缶体の両方に使用されてもよい。
【図１】
0006784695.tif 000002
【図２】
0006784695.tif 000003
【図３】
0006784695.tif 000004
【図４】
0006784695.tif 000005
【図５ａ】
0006784695.tif 000006
【図５ｂ】
0006784695.tif 000007
【図６】
0006784695.tif 000008